(57)【特許請求の範囲】
【請求項１】
特に燃焼機関の排ガス内の酸素含有量を決定するための測定検出子であって、ケーシング内に固定されたセンサ素子と、ケーシングに設けられていて組込位置でシール座に載着するシールフランジと、ケーシングの上に案内されていて、組込位置で円筒形の接続部材にねじ嵌め可能な固定部材とを備えており、この固定部材がシールフランジをシール座上にプレスするようになっており、ケーシング（１４）が測定ガス側のケーシング部分（１２）と接続側のケーシング部分（１３）とを有している形式のものにおいて、シールフランジ（６０）が接続側のケーシング部分（１３）に配置されていて、組込位置で接続部材上に載着していることを特徴とする測定検出子。
【請求項２】
シールフランジ（６０）が接続側のケーシング部分（１３）自体の材料から成形されていることを特徴とする請求項１記載の測定検出子。
【請求項３】
シールフランジ（６０）がロータリースウェージングにより製作されていることを特徴とする請求項１または２記載の測定検出子。
【請求項４】
開口（７０）を気密に囲う接続部材（７２）が設けられており、かつ、この接続部材（７２）に設けたシール座が平らな環状面（７６）として形成されていることを特徴とする請求項１記載の測定検出子。
【発明の詳細な説明】
従来の技術
本発明は請求項１の上位概念に記載の、特に燃焼機関の排ガス内の酸素含有量を決定するための測定検出子に関する。
ヨーロッパ特許公開第６２４７９１号（アメリカ合衆国特許第５３２９８０６号）明細書から、管状の金属製のケーシング内にセンサ素子を気密に固定したガスセンサが公知である。管状のケーシングは下側部分に、シールフランジを形成する半径方向で外向きのリップを備えている。このガスセンサは排気装置の開口内に挿入されており、その場合、リップは開口内に形成されているシール座上に座着している。ケーシングの上に中空ねじが案内されており、この中空ねじは開口内に設けたねじ山にねじ込まれ、その際、リップが気密に排気装置に結合される。しかし、この実施形態の問題点は、ケーシングの比較的薄壁の材料のプレスもしくは据込み時に、リップにミクロの亀裂が生じ、これがケーシングの非シール性を招くおそれがあることにある。
発明の利点
これに対して、主請求項の特徴を有する本発明の有する利点とするところは、シールフランジが絶対的に気密であることにある。接続側のケーシング部分に配置されたシールフランジを備えた、２部分から構成されたケーシングは、製作技術的に簡単に製作されると共に組立技術的にも簡単に取り扱うことがてきる。
従属請求項に記載された手段によれば、請求項１に示された測定センサの有利な別構成および改良が可能である。ロータリースウェージング製作法によるシールフランジの製作が特に適している。さらに、端面にシールフランジのためのシール座を備えた接続部材を排気管に取り付けるのが効果的である。シールフランジにスリーブナットを載着し、かつ接続部材に設けたねじ山にこのスリーブナットを協働させることにより、シールフランジが接続部材に気密に結合される。
図面
本発明の１実施例が図面に示されており、かつ以下の記載で詳細に説明される。唯一の図面は排気管内に挿入されたガスセンサの縦断面を示す。
実施例
ガスセンサ１０、例えば電気化学的な酸素センサが排気管１１内に挿入されており、かつ測定ガス側の金属製のケーシング部分１２と接続側の金属製のケーシング部分１３とを備えており、これら両方のケーシング部分が相共に１つのケーシング１４を形成している。ケーシング１４内には、測定ガス側の部分１７と接続側の部分１８とを備えた平面的なセンサ素子１６が気密に固定されている。
測定ガス側のケーシング部分１２は例えば内側の円筒壁２１を備えていて両側で開いた管エレメントから成る。測定ガス側のケーシング部分１２は接続側の端部に、例えば比較的小さな外径と比較的小さな内径とを有する部分２２を備えている。このことにより、管エレメントに外側の環状面２３と内側の環状面２４とが形成されている。測定ガス側のケーシング部分１２はさらに例えば測定ガス側の端部に円筒状のスリーブ３４を備えており、このスリーブはセンサ素子１６の測定ガス側の端部を越えて延びており、かつ、このことにより、センサ素子１６の測定ガス側の部分１７のための外側の支持スリーブ３６を形成している。
スリーブ３４内には内側の保護スリーブ３８が配置されており、この保護スリーブはセンサ素子１６の測定ガス側の部分１７を間隔をおいて囲んでおり、かつ内部に測定ガス室４０を形成している。内側の保護スリーブ３８は底部４２を備えており、この底部に、ガス流入および／またはガス流出のための第１の開口４３が設けられている。内側の保護スリーブ３８は底部４２とは反対側に位置する端部にフランジ４５を備えており、このフランジに、ガス流入および／またはガス流出のための別の開口４６が設けられている。内側の保護スリーブ３８はフランジ４５のところで外側の保護スリーブ３６に例えば環状の溶接ビード４８により溶接されている。しかしまた、スリーブ３４を別体の構成部材として内側の保護スリーブ３８に結合し、次いで、このように結合されて予め取り付けられた二重保護管を管エレメントに溶接することも可能である。
測定ガス側のケーシング部分１２内には、測定ガス側のセラミック成形部分２６、接続側のセラミックス成形部分２８およびそれらの中間に配置されたシールエレメント３０が設けられている。セラミック成形部分２６および２８は例えばＡｌ2Ｏ3から成り、かつセンサ素子１６のための詳細には図示されていない貫通案内部を有している。シールエレメント３０は例えばステアタイトから成り、かつ予めプレスされた状態で同様にセンサ素子１６のための貫通案内部を備えている。
測定ガス側のケーシング部分１２内でのセンサ素子１６の固定は、接続側のセラミック成形部分２８、圧縮状態のシールエレメント３０および測定ガス側のセラミック成形部分２６を相前後して測定ガス側のケーシング部分１２内へ挿入することにより行われる。その際、接続側のセラミック成形部分２８が内側の環状面２４に当接する。その際、センサ素子のための詳細には図示されていない貫通案内部は互いに上下に合致する。次いで、貫通案内部を通してセンサ素子１６が予め規定された軸方向位置を占めるまで押し込まれる。その場合、測定ガス側で、測定ガス側のセラミック成形部分２６へポンチにより圧着力が作用される。この圧着力は、予めプレスされたシールエレメント３０が圧壊され、その結果、粉末構成部分がセンサ素子１６のみならず内壁２１にも圧着されるように選択される。測定ガス側のセラミック成形部分２６へこの力を作用させる際に、測定ガス側のセラミック成形部分２６の測定ガス側の端部のところで管エレメント内に半径方向で内向きの減径エンボス加工部３２が形成される。このことにより、測定ガス側のセラミック部分２６はシールエレメント３０を圧縮する位置に保持される。
接続側のケーシング部分１３は円筒状に形成されており、かつ開口５３を有する減径部５２を備えている。開口５３内には例えば金属製の外套管５５が溶接により固定されている。外套管５５内にはセンサ素子１６のための接続ケーブル５７が案内されている。接続ケーブル５７はボンディング部材５９に結合されており、このボンディング部材は、センサ素子１６の接続側の部分１８に配置された詳細には図示されていない接続コンタクトに接触している。センサ素子１６のボンディングは例えば締付けまたは材料接合により実現される。しかし、開口５３からのケーブル出口は耐熱性のＰＴＦＥ−ケーブル貫通案内部により実現される。
接続側のケーシング部分１３はセンサ素子側の端部のところに、上側の環状面６１と下側の環状面６２とを備えた半径方向の環状のシールフランジ６０を有している。このシールフランジ６０は本実施例では接続側のケーシング部分１３自体の材料から成形されている。このシールフランジ６０は種々の変形法により製作可能である。接続側のケーシング部分１３自体の材料から安定したシールフランジ６０を成形することのできる特に適した変形法として、ロータリースウェージングが推挙される。それと選択的に、接続側の円筒状のケーシング部分１３にリングが溶接により取付られ、次いでこのリングがシールフランジ６０を形成することも考えられる。
ボンディング部材５９にセンサ素子１６をボンディングした後に、接続側のケーシング部分１３が測定ガス側のケーシング部分１２の部分２２上に差しはめられ、その際、軸方向のストッパとして測定ガス側のケーシング部分１２の外側の環状面２３が役立てられる。次いで、接続側のケーシング部分１３が半径方向の環状の溶接ビード６５により測定ガス側のケーシング部分１２に気密に溶接される。
排気管１１に開口７０が設けられており、この開口内に円筒状の接続部材７２がその一端で挿入されている。その場合、この接続部材７２は環状の溶接ビード７４により排気管１１に気密に溶接されている。接続部材７２は他端に平らな環状面７６を備えており、この環状面上に、シールフランジ６０の下側の環状面６２が載着している。それゆえ、環状面７６はシールフランジ６０のためのシール座を形成している。接続部材７２は外周にねじ部７８を備えている。
接続側のケーシング部分１３の上に、雌ねじ８１と内側の環状面８２とを備えたスリーブナット８０が案内されている。雌ねじ８１は接続部材７２のねじ部７８にねじはめられ、その際、内側の環状面８２がシールフランジ６０の上側の環状面６１上に圧着される。スリーブナット８０の引き締めによりシールフランジ６０の下側の環状面６２が、接続部材７２の、シール座を形成している環状面７６上に固定的に圧着される。このことにより、排気管１１内でのガスセンサ１０の気密な固定が生じる。
しかし、排気管１１内でのガスセンサ１０の固定のために、別の形状の固定手段も可能である。例えば、中空ねじの外周に設けた雄ねじ山を、接続部材７２に配置した雌ねじ山に螺合させることにより固定が実施されてもよい。しかし、その場合には、シールフランジ６０のためのシール座は接続部材７２の内部の付加的な環状面により形成されなければならない。さらにまた、接続部材７２と中空ねじとの間にアダプタを間挿し、次いで、シールフランジ６０によりガスセンサ１０をこのアダプタの一方の環状面上に座着させ、かつアダプタをその他方の環状面で接続部材７２の環状面上に載着することも考えられる。
0004152438.tif 000002